(57)【特許請求の範囲】
【請求項１】
樋状であって、その断面がパラボラ曲線となるとともに互いに平行となるように配列された反射面を有する複数の反射板と、
光軸が前記パラボラ曲線方向であり、前記パラボラ曲線の焦点位置に配設され前記反射板の長手方向に配列される複数のＬＥＤと、
を備え、
前記反射板は、前記パラボラ曲線となる前記反射面が連続して形成され、かつ、前記ＬＥＤの前記光軸と直交する第２反射面を有し、
前記反射板のそれぞれには、Ｒ、Ｇ、Ｂの組合せである複数のＬＥＤが配置され、
ＲのＬＥＤの両側にＢのＬＥＤが配置されるとともに、
ＧのＬＥＤの両側にＢのＬＥＤが配置される、ことを特徴とする照明器具。
【発明の詳細な説明】
【技術分野】
【０００１】
本発明は、スポットライト等の集中的な照射を行うのに適用される照明器具に関する。
【背景技術】
【０００２】
従来の照明器具の一例として、ＬＥＤからの光を反射させるための反射板をＬＥＤに光学的に接続したものがある（例えば、特許文献１参照）。
【０００３】
従来の照明器具の他の一例として、ＬＥＤからの光を遮断させ、遮断した光を配向させる反射板を備えたものがある（例えば、特許文献２参照）。
【先行技術文献】
【特許文献】
【０００４】
【特許文献１】特表２００９−５１６８９３号公報（図２、請求項１）
【特許文献２】特開２００９−１６３４７号公報（図２、請求項１）
【発明の概要】
【発明が解決しようとする課題】
【０００５】
ところが、上記特許文献１に開示された従来の照明器具および上記特許文献２に開示された従来の照明器具においては、ＬＥＤからの光の到達距離を長くすることがし難い。
従って、上記特許文献１に開示された従来の照明器具および上記特許文献２に開示された従来の照明器具においては、遠くにある照射対象を確実に照射することができない。
【０００６】
本発明は、前述した課題を解決するためになされたものであり、その目的は、ＬＥＤからの光の到達距離を長くすることにより良好な投光特性を得ることができる照明器具を提供することにある。
【課題を解決するための手段】
【０００７】
本発明に係る照明器具は、樋状であって、その断面がパラボラ曲線となるとともに互いに平行となるように配列された反射面を有する複数の反射板と、光軸が前記パラボラ曲線方向であり、前記パラボラ曲線の焦点位置に配設され前記反射板の長手方向に配列される複数のＬＥＤと、を備え、前記反射板は、前記パラボラ曲線となる前記反射面が連続して形成され、かつ、前記ＬＥＤの前記光軸と直交する第２反射面を有し、前記反射板のそれぞれには、Ｒ、Ｇ、Ｂの組合せである複数のＬＥＤが配置され、ＲのＬＥＤの両側にＢのＬＥＤが配置されるとともに、ＧのＬＥＤの両側にＢのＬＥＤが配置される。
【０００８】
本発明において、ＬＥＤからの光は反射板のパラボラ曲線断面を有する反射面で反射されることにより長い到達距離を有する反射光に変換される。
従って、本発明においては、ＬＥＤからの光の到達距離が長くなって遠くにある照射対象を確実に照射することにより良好な投光特性を得ることができる。
【００１０】
本発明において、複数のＬＥＤからの光のうち樋状に連続した反射面に向かった光は反射面により反射され、複数のＬＥＤからの光のうち第２反射面に向かった光は第２反射面により反射されて反射面により反射された光に混ざり合う。
従って、本発明においては、複数のＬＥＤからの光を無駄なく照射することができる。
【００１２】
本発明において、互いに平行となるように配列された複数の反射板のそれぞれに配置される複数のＬＥＤは、ＲのＬＥＤの両側にＢのＬＥＤが配置されるとともに、ＧのＬＥＤの両側にＢのＬＥＤが配置される。
従って、本発明においては、Ｒ、Ｇ、Ｂの全てのＬＥＤが発光された際に均一な白色光を創生することができる。
【発明の効果】
【００１３】
本発明の照明器具によれば、ＬＥＤからの光は反射板のパラボラ曲線断面を有する反射面で反射されることにより長い到達距離を有する反射光に変換される。
これにより、本発明の照明器具によれば、ＬＥＤからの光の到達距離が長くなって遠くにある照射対象を確実に照射することにより良好な投光特性を得ることができるという効果を有する。
【図面の簡単な説明】
【００１４】
【図１】本発明に係る一実施形態の照明器具の一部破断正面図
【図２】図１の照明器具の一部破断平面図
【図３】図１の照明器具のＡ−Ａ線断面図
【図４】図１の照明器具におけるＬＥＤユニットの正面図
【図５】図４のＬＥＤユニットの右側面図
【図６】図４のＬＥＤユニットにおけるＬＥＤの平面図
【図７】図１の照明器具におけるＬＥＤの配列図
【図８】図１の照明器具の光学的特性を説明するＬＥＤユニットの右側面図
【図９】図１の照明器具の水平面方向の光学的特性の模式図
【図１０】図１の照明器具の鉛直面方向の光学的特性の模式図
【発明を実施するための形態】
【００１５】
以下、本発明の一実施形態に係る照明器具について図面を参照して説明する。
図１、図２、図３に示すように、本発明の一実施形態である照明器具１０は、器具本体１１と、複数のＬＥＤ１３と単一の反射板１４とからなるＬＥＤユニット１５を上下に４列備えた灯具１２と、電源制御ブロック１６と、を備えてブラケット１７に取り付けられている。
器具本体１１は、厚みの薄いアルミニウムダイカスト製板部材をプレス成形することにより、前板１８と、後板１９と、一対の側板２０と、底板２１とから、上端部に開口部２２を有する箱形状に形成されている。前板１８の中央部には灯具用開口部２３を有し、灯具用開口部２３にステンレス製のグローブ押え２４を介してグローブ２５が取り付けられている。グローブ２５は透明な硬質のガラス製であって、略コ字形状の断面形状を有し、後端部の全周がグローブ押え２４により前板１８に支持されている。底板２１上にはアルミニウム製のブロックケース２６が取り付けられており、ブロックケース２６内に電源制御ブロック１６が収容されている。電源制御ブロック１６はインバータ回路等の直流電源回路やＲＧＢ制御回路を有し、不図示の外部電源に電気的に接続されているとともに複数のＬＥＤ１３にそれぞれ電気的に接続されている。底板２１にはステンレス製でアングル形状の基台２７がネジ止めされており、基台２７がブラケット１７に取り付けられている。器具本体１１は、一対の側板２０と後板１９とに複数の器具配線２８を収容した複数の配管２９が連通接続されている。開口部２２にはアルミニウムダイカスト製の蓋部材３０がネジ止めされている。ＬＥＤユニット１５は不図示の支持金具によりグローブ２５の後方に上下に４列配列されている。
【００１６】
図４、図５、図６に示すように、反射板１４には、樋形状であって、その断面形状がパラボラ曲線となっていてアルミニウム蒸着による鏡面の反射面３１がＬＥＤユニット基台３２の長手方向に連続して形成されている。反射板１４は、その基部３３がＬＥＤユニット基台３２にネジ３４によりネジ止めされている。複数のＬＥＤ１３はＬＥＤユニット基台３２の長手方向に並べられた複数のＬＥＤ基板３５に実装されており、反射板１４の長手方向に予め定められたピッチでそれぞれ配列されている。複数のＬＥＤ１３は反射面３１のパラボラ曲線の焦点位置に配置されており、光軸がパラボラ曲線方向である。ＬＥＤ基板３５は中央部にＬＥＤ１３を配置して複数のネジ３６によりＬＥＤユニット基台３２にネジ止めされている。４列のＬＥＤユニット１５は反射板１４とともに互いに平行となるように配列されている。反射板１４は、反射面３１から前方に平板状に延出した延出部３７を有し、延出部３７のＬＥＤ１３側に、例えば白色塗装を施した第２反射面３８を有する。第２反射面３８はＬＥＤ１３の光軸に直交して配置されている。
【００１７】
図７に示すように、ＬＥＤ１３は、Ｒ（赤）、Ｇ（緑）、Ｂ（青）の組み合わせであって、いちばん上の第１列Ｃ１において、左方から右方に向けて、Ｇ、Ｂ、Ｒ、Ｂ、Ｇ、Ｂの順に、ＲのＬＥＤ１３の両側にＢのＬＥＤ１３が配置されているとともに、ＧのＬＥＤ１３の両側にＢのＬＥＤ１３が配置されており、上から２列目の第２列Ｃ２において、左方から右方に向けて、Ｂ、Ｒ、Ｂ、Ｇ、Ｂ、Ｒ、の順に、ＲのＬＥＤ１３の両側にＢのＬＥＤ１３が配置されているとともに、ＧのＬＥＤ１３の両側にＢのＬＥＤ１３が配置されている。ＬＥＤ１３は、上から３列目の第３列Ｃ３が第１列Ｃ１と同一であって、上から４列目の第４列Ｃ４が第２列Ｃ２と同一である。このように、ＬＥＤ１３は、第１列Ｃ１と第３列Ｃ３との第１類と、第２列Ｃ２と第４列Ｃ４との第２類との２種類のＲＧＢ列を有し、反射板１４の２個のＬＥＤ１３と隣接する反射板１４の２個のＬＥＤ１３とはＲ、Ｇが１個、Ｂが２個となるように配列されている。
【００１８】
次に、照明器具１０の光学的特性について説明する。図８に示すように、電源制御ブロック１６から与えられた直流電流によりＬＥＤ１３が発光されると、４列のＬＥＤユニット１５のそれぞれにおいて、ＬＥＤ１３からの光のうち反射板１４の反射面３１に向かった光は反射面３１により反射してグローブ２５を通じて前方に向けて大きな光量で照射される。このとき、反射板１４の反射面３１により反射した光は反射面３１がパラボラ曲線断面になっているために長い到達距離を有して指向性を有する反射光に変換される。ＬＥＤ１３からの光のうち反射板１４の第２反射面３８に向かった光は第２反射面３８により反射して反射面３１で反射した光に混ざり合ってグローブ２５を通じて前方に照射される。これにより、それぞれのＲ、Ｇ、ＢのＬＥＤ１３が全発光（全点灯）されることにより均一な白色光が創生される。なお、Ｒ、Ｇ、ＢのＬＥＤ１３のそれぞれは全発光に代えて、Ｒ、Ｇ、Ｂのそれぞれの強弱を調整しながら個別に発光させるようにしても良い。
【００１９】
図９に示すように、ＬＥＤ１３は、その水平面において、広角配光性能を有しており、広範囲にわたって、略同一輝度を発することができる。
図１０に示すように、ＬＥＤ１３は、その鉛直面において、やや上向きの超狭角配光性能を有し、仰角がきつくなる程、輝度が低減される性能を有する。
【００２０】
本発明の一実施形態の照明器具１０では、ＬＥＤ１３からの光が反射板１４のパラボラ曲線断面を有する反射面３１で反射されることにより長い到達距離を有する反射光に変換される。
従って、本発明の一実施形態の照明器具１０では、ＬＥＤ１３からの光の到達距離が長くなって遠くにある照射対象を確実に照射することにより良好な投光特性を得ることができる。
【００２１】
本発明の一実施形態の照明器具１０では、複数のＬＥＤ１３からの光のうち樋状に連続した反射面３１に向かった光は反射面３１により反射され、複数のＬＥＤ１３からの光のうち第２反射面３８に向かった光は第２反射面３８により反射されて反射面３１により反射された光に混ざり合う。
従って、本発明の一実施形態の照明器具１０では、複数のＬＥＤ１３からの光を無駄なく照射することができる。
【００２２】
本発明の一実施形態の照明器具１０では、互いに平行となるように配列された複数の反射板１４のそれぞれに配置された複数のＬＥＤ１３は、ＲのＬＥＤ１３の両側にＢのＬＥＤ１３が配置されるとともに、ＧのＬＥＤ１３の両側にＢのＬＥＤ１３が配置される。
従って、本発明の一実施形態の照明器具１０では、Ｒ、Ｇ、Ｂの全てのＬＥＤ１３が発光された際に均一な白色光を創生することができる。
【００２３】
なお、前記一実施形態で使用した器具本体１１、電源制御ブロック１６、ブラケット１７等は例示したものに限定するものではなく適宜変更が可能である。
【符号の説明】
【００２４】
１０  照明器具
１３  ＬＥＤ
１４  反射板
３１  反射面
３８  第２反射面
【図１】
0005537161.tif 000002
【図２】
0005537161.tif 000003
【図３】
0005537161.tif 000004
【図４】
0005537161.tif 000005
【図５】
0005537161.tif 000006
【図６】
0005537161.tif 000007
【図７】
0005537161.tif 000008
【図８】
0005537161.tif 000009
【図９】
0005537161.tif 000010
【図１０】
0005537161.tif 000011